Podtech/llm-jp-corpus-v4-ja_patent huggingface dataset:
(57)【要約】【課題】水辺環境保全・景観・及び生態系の保全を目的とし、水生動植物が生育できる生態系保全空間機能を維持する。恒久耐久のコンクリートと一体化した天然間伐材パネルの提供を課題とする。【解決手段】水辺環境保全は、良好な水質を維持させ景観及び生態系保全維持にあり、土圧を受ける耐久の要求される個所にはコンクリート製品を用い、景観、生態系保全には、木材本来の通気性、吸湿性の特徴をいかし、その水生動植物の生息する構造物の内部空間施工し、一体型木製パネルとして環境機能を提供する。【選択図】なし【特許請求の範囲】
【請求項１】
恒久的耐久性のコンクリートＵ形アームに天然間伐材の木製パネルの一体型製造方法。
【請求項２】
構造物に生態系保存空間を内在し保持する事を特徴とした木製パネルの一体型製造方法。
【請求項３】
複数の組み合せを可能とした連結木製パネルの一体型製造方法。
【請求項４】
上記に水生動物生息可能とした一体型木製パネルの製造方法。
【請求項５】
景観・生態系を維持とする一体型木製パネルの製造方法。
【請求項６】
上記記載の請求項において、本発明趣旨を逸脱しない範囲の変更は、本発明に含まれる。
【発明の詳細な説明】
【技術分野】
【０００１】本発明は、間伐材丸太構造を海護岸・河川護岸・池・堤・農業用水・廃水・公園池等の側壁の水辺環境保全・景観及び生態系保全環境機能に関する。
【背景技術】
【０００２】水辺の木製パネル・間伐材丸太構造は、環境に良いと言われているが普及はしていない。土圧を受けることからコンクリートの現場打ちやコンクリーの既製品対応の経緯がある。
【発明の開示】
【発明が解決しようとする課題】
【０００３】本発明は、水辺環境保全・景観・及び生態系の保全を目的とし、水生動植物が生育できる生態系保全空間機能の環境整備を課題とする。
【課題を解決するための手段】
【０００４】本来、木質には通気性、吸湿性の特徴がある。その木質構造物の空間に、生態系保全空間を機能として発揮ならしめることで、さらに高い通気性と吸放湿性を備え、コンクリート機能に木質一体型の丸太パネル化構造を提供する。
【発明の効果】
【０００５】本発明により、美観に優れた天然の間伐材のもつ性能の吸湿性、放湿性能力を水辺環境保全構造は、好ましくは間伐材の隙間を１〜３ｃｍの構造で生態系保全空間を維持し、木肌に張り付く生態生物の生育環境を特徴とした。【０００６】間伐材活用の一体型木製丸太パネルであることから工期の短縮を可能とし、低コスト分野の開発を特徴とする。
【発明を実施するための最良の形態】
【０００７】木製パネルは、上記性能のある天然間伐材を用い、空間内部を水中動植物のビオトープ連結機能構造による天然間伐材丸太をパネル型にすることで工事を容易にする。【０００８】木製パネルの構成構築は、交換を簡易とし、抜き取り可能とした水辺環境を配慮とした。【０００９】木製パネルを鋼棒の連続連結構造ボルトで固定をする。
【産業上の利用可能性】
【００１０】天然間伐材の大量間伐材の利用可能性をもつことで、天然素材の間伐材は、環境に優しく低コスト分野の開発で費用対効果の期待と健全な環境効果が得られ、地元産業の利用促進の効果がある。【００１１】農業水路の用水・排水、護岸、公園水辺等の側壁に利用を可能とする。【００１２】本発明の木製パネルは、間伐材の丸太を一定本数連結構造としたものであり、水辺環境保全構造に汎用利性がある。
(57)【要約】【課題】玉砂利河原などでは、テントを設置する際にペグを使用することが、できなかった。また、一般にロープ付きのペグを使用してテントを設置すると細いロープに頭部をぶつけたりなど危険性が伴った。また、ペグを使用しているとテントを撤収する際に手間と時間がかかった。ポリタンク状のアンカーでは、持ち運びにかさばるというデメリットがあった。【解決手段】桶部に装着されたベルトでテントの脚部を拘束し、桶部に重量物を入れ、その重さを利用することで、テントを安定させる道具。【選択図】図１
2011111878.tif 000002
【特許請求の範囲】
【請求項１】
桶に束縛用のベルトを設けることにより、桶部に加重を与えることで、テント脚部を設置面に安定させることを特徴とするテント用アンカー。
【発明の詳細な説明】
【技術分野】
【０００１】  本発明は、砂浜や玉砂利河原、平坦地においてテントを敷設する際のテントの脚部に重量負荷をかけるアンカーに関するものである。
【背景技術】
【０００２】  従来、テントを敷設する際には、ペグを使用するか、または、ロープの付いたペグを使用し張力によってテントを固定していた（特許文献１参照）。
【先行技術文献】
【０００３】
【特許文献１】  特開２０００−１４５２０８号公報
【発明の概要】
【発明が解決しようとする課題】
【０００４】  テントを敷設する際に玉砂利河原では、ペグを使用すると不安定であった。また、平坦地にテントを敷設する際には、ロープの付いたペグを使用することで、ロープが細く目立たないために身体をぶつける機会が多かった。ポリタンク状のアンカーを使用する場合持ち運びに質量が、かさばるために不便であった。また、テントを解体する場合にペグを使用した場合、ペグを引き抜くための工具が必要であり、時間がかかった。突風などの災害時には、テントの解体に急を要するが、ロープ付きのペグを使用した場合、解体に手間がかかり即応することができなかった。
【課題を解決するための手段】
【０００５】  桶部の側面にベルトを通すための穴を設ける。ベルトによってテントの脚部を保持できるようにする。テントの脚部は、桶部に入れる。テントの脚部を入れた状態で桶部に石や、水、砂、などを入れることで、荷重を与える。
【発明の効果】
【０００６】  従来、テントを敷設する場所が、玉砂利敷きなどペグを使用できない場所でも本発明により可能となる。桶状のため、コンパクトに重ねて持ち運びが可能である。桶状のため、着色することで、目立たせることができる。桶状のため、側面にロゴなど印刷できる。テントの撤収に手間がかからない。
桶部に入れる重しの材料は、設置場所の周囲にある石ころや砂、水などで、自由に調達できるので、重しを持ち運ぶ必要が無い。
【図面の簡単な説明】
【０００７】
【図１】  本発明の斜視図
【発明を実施するための形態】
【０００８】  以下、本発明の実施の形態を説明する。
（イ）桶部（１）の側面に、１個または、複数個の穴（３）を設ける。
（ロ）穴（３）にベルト部（２）を通す。
本発明は、以上のような構造である。
本発明を使用するときは、テントの脚部を桶部（１）に入れ、当該脚部をベルト部（２）で、保持する。桶部（１）に石、砂利、水のいづれか、もしくは、混合して入れる。桶部（１）に入れた石が、楔のようにテントの脚部に負荷をかけることで、テントを安定させることができる。
【符号の説明】
【０００９】（１）桶部    （２）ベルト部    （３）穴
【図１】
2011111878.tif 000003
(57)【要約】【課題】階段は上の階と筒抜け状態であるため、各部屋で暖房する様になるが、温めすぎ等が起こり暖房の無駄にもなっている。階段の登り口を扉で覆うことで、一階部分の空気を滞留させるための階段ドアを提供する。【解決手段】透明な樹脂素材を、蝶番い（３）で連結させた本体（１）と、スペーサー（２）と、取手（４）で扉を形成する。取手（４）にはカム部（１１）と押ノブ（１２）を設け、取手（４）の裏側には本体側マグネット（８）を取り付け、柱には柱側マグネット（７）を取り付けることで、扉は閉じられる。使い方としては、階段登り口にスペーサー（２）を柱に固定し、柱側マグネット（７）は取手（４）の位置に合わせる。扉の開閉は取手（４）及び、押ノブ（１２）で行う。【選択図】図１
2011111880.tif 000002
【特許請求の範囲】
【請求項１】
本体には透明な樹脂素材に蝶番いを設け、本体と同じ素材のスペーサーを片方の蝶番いに取り付け、スペーサーの反対側には取手を設け、マグネットで閉じることが出来る。取手にはカムを設け開けやすい構造で、登り口より上の階へ逃げる熱を遮断するための階段用ドアである。
【発明の詳細な説明】
【技術分野】
【０００１】本発明は、住宅の暖房効果を、より効率的にするための、階段用ドアに関するものである
【背景技術】
【０００２】文献と思われるものは確認できず。
【先行技術文献】
【０００３】特許文献は確認出来ず。
【発明の概要】
【発明が解決しようとする課題】
【０００４】住宅の多くは階段を設けていて、その階段は上の階と筒抜け状態であるため、暖房の効果も悪くなり、各部屋で暖房を行うようにしている。そのためほかの場所はその効果が無く、又、必要以上に暖房のロスが有る様に思える。
【課題を解決するための手段】
【０００５】本発明は、長方形で透明な素材を本体とし、蝶番いを設け、蝶番いの片方には同じ素材で固定用のスペーサーを設け、蝶番いの反対側には取手を取付け形成される。
【発明の効果】
【０００６】暖房使用時は、常に上の階へと逃げていた空気は、間仕切りを取り付けることにより、１階部分に滞留することになり、如いては広い範囲でその効果を利用することが出来る。
【図面の簡単な説明】
【０００７】
【図１】本発明の正面図である。
【図２】本発明の取手及びマグネットの正面図である。
【図３】本発明の取手及び取り付け側面図である。
【発明を実施するための形態】
【０００８】以下、本発明の実施例について説明する。
長方形で透明な樹脂素材を本体（１）とし、片側に蝶番い（３）を設け、蝶番い（３）の反対側には、本体（１）と同じ素材で、固定用のスペーサー（２）を取り付け、固定用のスペーサー（２）の反対側に取手（４）を設ける。取手（４）は、本体側マグネット（８）及び、柱側マグネット（７）で閉じられ、取手（４）にはカム部（１１）を設け、本体側マグネット（８）と柱側マグネット（７）の切り離しには、さほど力を必要としない。又階段を降りてきて開けるときは、押ノブ（１２）を押すことにより開けることが出来る階段用ドアである。
【符号の説明】
【０００９】  １  本体
２  スペーサー
３  蝶番い
４  取手
５  柱
６  すきま
７  柱側マグネット
８  本体側マグネット
９  ピン
１０  取手支持部
１１  カム部
１２  押ノブ
【図１】
2011111880.tif 000003
【図２】
2011111880.tif 000004
【図３】
2011111880.tif 000005
(57)【要約】【課題】アキュムレータの容器の構成を筒と上下蓋の３部品とした安価なアキュムレータとした場合でも、アキュムレータの容器の筒部中心に従来のような接合部がないことによる筒部の強度低下による振動を抑制し、振動音を低減する。【解決手段】筒と上下蓋の３部品で構成される容器の上蓋上部中央に冷媒を吸入する吸入管を、下蓋下部中央に冷媒吐出用の吐出管を設けてなるアキュムレータを有する密閉型圧縮機において、前記アキュムレータと密閉型圧縮機本体とを固定する固定金具の位置を前記容器の筒部高さ中心より、上下それぞれ前記容器の全高の１／５の範囲で設けた構造とした。【選択図】図１
2011111898.tif 000002
【特許請求の範囲】
【請求項１】
筒と上下蓋の３部品で構成される容器の上蓋上部中央に冷媒を吸入する吸入管を、下蓋下部中央に冷媒吐出用の吐出管を設けてなるアキュムレータを有し、前記アキュムレータと密閉型圧縮機本体とを固定する固定金具の位置を前記容器の筒部高さ中心より、上下それぞれ前記容器の全高の１／５の範囲とした密閉型圧縮機。
【発明の詳細な説明】
【技術分野】
【０００１】
本発明は、空気調和機等の冷凍装置に使用されるアキュムレータを有する密閉型圧縮機に関し、アキュムレータの固定に関するものである。
【背景技術】
【０００２】
従来の密閉型圧縮機の構造としては、例えば特許文献１に示されたものがあった。図３は特許文献１に示された従来の密閉型圧縮機を示すものである。
【０００３】
図３に示すように、従来の密閉型圧縮機は、端に大きな丸みを持たせた絞り形状をもつ上容器１ａ、下容器１ｂを有する容器１と、上容器１ａの上部中央に冷媒を吸入する吸入管２、下容器１ｂの下部中央に冷媒を吐出する吐出管３を設けたアキュムレータ４と密閉圧縮機本体５とで構成され、アキュムレータ４の吐出管３は密閉型圧縮機本体５に繋がり、アキュムレータ４の固定として密閉型圧縮機本体５側に固定金具６が、アキュムレータ４側には取付け金具７が設けられ固定されている。
【０００４】
また、固定金具６の位置はアキュムレータ４の容器１を構成する上容器１ａと下容器１ｂの接合部１ｃの盛上りが容器１の中心部にあるため、接合部１ｃを避けた容器１の上部領域の高さ位置に設けられている。
【０００５】
以上のような、アキュムレータ４と密閉型圧縮機本体５を固定する固定金具６の高さ位置をアキュムレータ４の容器１の接合部１ｃを避けた容器１の上部領域に設けた構造にすることでアキュムレータ４の固定がしっかりされ、運転時における振動音の抑制ができる。
【先行技術文献】
【特許文献】
【０００６】
【特許文献１】特開２００６−０４６１００号公報
【発明の概要】
【発明が解決しようとする課題】
【０００７】
しかしながら、前記従来の密閉型圧縮機では、アキュムレータと密閉型圧縮機本体を固定する固定金具の高さ位置が、アキュムレータの容器の上部領域に設けていたため、アキュムレータの容器の構成を筒と上下蓋の３部品とした安価なアキュムレータとした場合、アキュムレータの容器を構成する筒の中心部に接合部がないことでの筒部の強度低下によりアキュムレータの振動音が上昇するとういう課題があった。
【課題を解決するための手段】
【０００８】
前記従来の課題を解決するために、本発明の密閉型圧縮機は、筒と上下蓋の３部品で構成される容器の上蓋上部中央に冷媒を吸入する吸入管を、下蓋下部中央に冷媒吐出用の吐出管を設けてなるアキュムレータを有する密閉型圧縮機において、前記アキュムレータと密閉型圧縮機本体とを固定する固定金具の位置を前記容器の筒部高さ中心より、上下それぞれ容器の全高の１／５の範囲で設けたものである。
【発明の効果】
【０００９】
本発明の密閉型圧縮機は、前記構成を有し、アキュムレータと密閉型圧縮機本体とを固定する固定金具の位置を前記容器の筒部高さ中心より、上下それぞれ容器の全高の１／５の範囲で設けることで、容器の筒部中心に接合部がないことによる筒部の強度低下による
振動を抑制し、振動音を低減することができる。
【図面の簡単な説明】
【００１０】
【図１】本発明第１の実施形態における密閉型圧縮機の図
【図２】固定金具６の高さ違いでの騒音比較を示す図
【図３】従来の密閉型圧縮機の図
【発明を実施するための形態】
【００１１】
以下、本発明の実施の形態を、図面を参照しながら説明する。
（実施の形態１）
図１は、本発明の実施の形態１における密閉型圧縮機の図である。
【００１２】
図１に示すように、筒１ｄと上蓋１ｅ、下蓋１ｆの３部品で構成される容器１の、上蓋１ｅの上部中央に冷媒を吸入する吸入管２、下蓋１ｆの下部中央に冷媒を吐出する吐出管３を設けたアキュムレータ４と密閉圧縮機本体５とで構成され、アキュムレータ４の吐出管３は密閉型圧縮機本体５に繋がり、アキュムレータ４の固定として密閉型圧縮機本体５側に固定金具６が、アキュムレータ４側には取付け金具７が設けられ固定されている。
【００１３】
また固定金具６の位置は筒１ｄの高さ中心より、上下それぞれ容器１の全高の１／５の範囲で設けた構成としている。
【００１４】
かかる構成によれば、従来の密閉型圧縮機のようにアキュムレータ４の容器１の中心部に接合部１ｃがなくても、筒１ｄ部の強度低下による振動を抑制し、図２の騒音比較に示すように、固定金具６の高さ位置違いにより振動音が低減していることがわかる。
【産業上の利用可能性】
【００１５】
本発明の密閉型圧縮機は、アキュムレータを有するものであれば、あらゆる圧縮機に適応が可能である。
【符号の説明】
【００１６】
１        容器
１ａ    上容器
１ｂ    下容器
１ｃ    接合部
１ｄ    筒
１ｅ    上蓋
１ｆ    下蓋
２      吸入管
３      吐出管
４      アキュムレータ
５      密閉圧縮機本体
６      固定金具
７      取付け金具
【図１】
2011111898.tif 000003
【図２】
2011111898.tif 000004
【図３】
2011111898.tif 000005
(57)【要約】      （修正有）【課題】排水に含まれるゴミを取り除き、水洗トイレに再利用可能な家庭排水再利用装置の提供。【解決手段】貯水槽１内で排水導入管２、濾過器３、排水管４を連結して排水を濾過し貯水する。貯水槽１が満水状態で流入する排水が濾過器３内のゴミを排水管４より下水管５に排出する。【選択図】図２
2011111884.tif 000002
【特許請求の範囲】
【請求項１】
貯水槽１内で濾過器３に排水導入管２と排水放出管４を連結する。
以上の構成より成る家庭排水再利用装置
【発明の詳細な説明】
【技術分野】
【０００１】本発明は、家庭排水を再利用する装置に関するものである。
【背景技術】
【０００２】従来、家庭水洗トイレに上水道水が使用されている。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】トイレに上水道水を使用するため、家庭では水道代、地方自治体では莫大な水資源の確保が必要となっている。本発明は以上のような欠点をなくすためになされたものである。
【課題を解決するための手段】
【０００６】家庭排水をトイレに再利用するためには、排水に含まれるゴミを除く必要がある。貯水槽１内で排水導入管２、濾過器３、排水放出管４、を連結し、排出導入管２より流入する排水を濾過し、貯留する。貯水槽１が満水状態で排水が流入すれば、濾過器３内を排水が放出管４へ通り抜けることでゴミが下水管５へ放出される。
【発明の効果】
【０００７】上水道水の使用量を低減させ、水資源の有効利用ができる効果がある。
【発明を実施するための形態】
【０００８】以下、本発明を実施するための形態について説明する。家庭排水を排水導入管２より貯水槽１に導入し、導入管２に連結した濾過器３で排水を濾過し、貯水槽１に貯水する。貯水槽１が満水状態で、排水が流入すると濾過器３内のゴミを排水放出管４より下水管５に排出する。水洗トイレには、貯水槽１内のポンプ６でトイレ水槽９にポンプアップし、トイレ水槽９が満水になれば、トイレ水槽９の水準浮子１２が上がりスイッチ１０が切れる。貯水槽１に排水１５がなくなったとき、貯水槽１の上水道弁浮子１８が下がり、上水道止水弁１４が開き、上水道水を貯水槽１に供給する。
【図面の簡単な説明】
【０００９】
2011111884.tif 000003
【符号の説明】
【００１０】１    貯水槽
２    排水導入管
３    排水濾過器
４    排水放出管
５    下水管
６    ポンプ
７    ポンプ送水管
８    ポンプ電気配線
９    トイレ貯水槽
１０  ポンプスイッチ
１１  トイレ
１２  トイレ水槽の水準浮子
１３  上水道管
１４  上水道止水弁
１５  貯水槽排水
１６  排水の流れ
１７  貯水槽排水弁
１８  上水道弁浮子
【図１】
2011111884.tif 000004
【図２】
2011111884.tif 000005
(57)【要約】【課題】  近年の日本家屋の内壁は、従来多く見られた木舞土壁式を用いず、調湿機能などに劣るより簡便なクロスなどの内装材の貼り付け方式によることが多い。その理由は、木舞土壁方式は多湿な日本の気候風土の欠点である室内の温・湿度問題を調整する能力に優れ、更には、耐火、防音の機能を有しているにもかかわらず、木舞掻きの職人不足や荒塗りや中塗りなどの多くの工程、更には原料の土壁材の入手難から施工が困難になってきていることによる。【解決手段】  奥能登珪藻土壁材をクロスなどの内装材の代わりに壁面に塗りつけることにより、木舞土壁の性質に優る内壁を作り上げる。尚、この奥能登珪藻土壁材の成分は奥能登珪藻土の焼成粉末を主成分（約４１％）に、珪砂・天然軽石・パーライトの混合材を骨材（約３１％）とし、硬化材として石膏（約２５．５％）、凝結遅延剤として消石灰（約０．５％）・クエン酸（約０．５％）、増粘保湿剤としてメチルセルロース（約０．１％）、防カビ剤としてベンズイミダゾール系製剤（約０．１％）、ひび割れ防止材として麻（１．３％）の割合であることを特徴とする。【特許請求の範囲】
【請求項１】
奥能登珪藻土の焼成粉末に対し、骨材、硬化材、凝結遅延剤、増粘保湿剤、防カビ剤、ひび割れ防止材に麻を混ぜ、水で混練したものを材料とする土壁材料である。
前記麻は１ｃｍ程度切ったものを使用する。
【請求項２】
前記土壁材料の配合比率は、奥能登珪藻土の焼成粉末を主成分（約４１％）に、骨材として珪砂・天然軽石・パーライトの混合材を（約３１％）、硬化材として石膏（約２５．５％）、凝結遅延剤として消石灰（約０．５％）・クエン酸（約０．５％）、増粘保湿剤としてメチルセルロース（約０．１％）、防カビ剤としてベンズイミダゾール系製剤（約０．１％）、ひび割れ防止材として麻（１．３％）の割合であることを特徴とする請求項１記載の土壁材料である。
【発明の詳細な説明】
【技術分野】
【０００１】  本発明は、例えば木造家屋等の壁における奥能登珪藻土壁材料に関するものである。
【背景技術】
【０００２】  日本の木造家屋の壁は木舞土壁が多く見られた。この木舞土壁は多湿の日本の気候風土に適合し、室内の温・湿度をコントロールする役目をそなえていた。更には防音、防火の機能も有していた。【０００３】  土壁は、壁面の構造として、柱に通し貫きを設け、貫と貫の間に木舞を掻き、左官作業として、荒塗り→裏塗り→貫伏せ→中塗り→（時には上塗り）の工程を経て出来上がる。【０００４】  この様に従来の土壁では、木舞という作業を必要とし、最近ではこの木舞掻きの職人が少なくなって来ている。又、多量の土を使用するため、土自体の入手が困難になって来た。などの理由から土壁を用いた家屋の建築を出来難くなった。【０００５】  最近では、壁面構造としてグラスウールなどの断熱材を用い、プラスタボードなどを取り付け、接着剤によりクロスなどの内装材を貼り付ける方法が一般的になってきた。この様な方法では、家屋が気密化し、木舞土壁家屋では問題とならなかった結露などの湿気にかかわる問題が発生、更には内装材や家具・日用品などの影響による刺激臭の問題。クロスなど石油製品の多用化による防火能力の低下、火災になった場合の不完全燃焼による窒息問題も発生している。
【発明の開示】
【発明が解決しようとする課題】
【０００６】  本発明は、グラスウールなどの断熱材を用い、プラスタボードなどを取り付け、接着剤によりクロスなどの内装材を貼り付けたような内壁を有する家屋の欠点である湿気にかかわる問題・防音、防火の問題・刺激臭の問題という不具合を解決することが出来る木造家屋等の壁用材料を提供することを課題とする。
【課題を解決するための手段】
【０００７】  本発明は、壁用材料として多孔質の奥能登珪藻土の性質を利用しようとするものである。奥能登珪藻土が壁材料として使用できるように、奥能登珪藻土の焼成粉末に対し、骨材、硬化材、凝結遅延剤、増粘保湿剤、防カビ剤、ひび割れ防止材を混ぜたものである。これを水と混練して壁材料として使用する。
尚、前記奥能登珪藻土壁材料の配合比は、奥能登珪藻土の焼成粉末を主成分（約４１％）に、珪砂・天然軽石・パーライトの混合材を骨材（約３１％）とし、硬化材として石膏（約２５．５％）、凝結遅延剤として消石灰（約０．５％）・クエン酸（約０．５％）、増粘保湿剤としてメチルセルロース（約０．１％）、防カビ剤としてベンズイミダゾール系製剤（約０．１％）、ひび割れ防止材として麻（１．３％）の割合であることを特徴とする。
前記麻は１ｃｍ程度に切ったものを使用する。
【発明の効果】
【０００８】本発明は、最近の内壁面構造と同じ様に、グラスウール断熱材を用い、プラスタボードなどを取り付けた後、クロスなどの内装材を貼り付ける代わりに奥能登珪藻土壁材を左官作業として厚み「５ｍｍ」程度に塗りつけることにより、木舞土壁家屋に優る温・湿度のコントロール・防音・防火効果、更には脱臭の効果も得られる。【０００９】  即ち、木舞土壁のように、木舞掻き作業・土による荒塗りや裏塗り作業など多くの工程を必要とせず、クロスなどの内装材を貼り付ける代わりに左官作業として「５ｍｍ」程度の奥能登珪藻土壁を施工すれば木舞土壁に優る効果が得られる。【００１０】  更に、奥能登珪藻土壁は主成分が珪藻土の焼成粉末であることより、きめの細かい仕上がりとなり、木舞土壁のような上塗り仕上げが必要でない。
【発明を実施するための最良の形態】
【００１１】  本発明は前記したように、内壁面構造として柱・梁・貫などで作られた構造物の空間にグラスウールなどの断熱材を配し、プラスタボードを取り付け、次の工程として奧能登珪藻土壁材を左官作業として塗りつける。
この奥能登珪藻士壁材を構成する素材などの配合率は概ね次の通りである。
主成分として能登珪藻土の焼成粉末（約４１％）、骨材として珪砂・天然軽石・パーライトの混合材（約３１％）、硬化材として石膏（約２５．５％）、凝結遅延剤として消石灰（約０．５％）・クエン酸（約０．５％）、増粘保湿剤としてメチルセルロース（約０．１％）、防カビ剤トシテベンズイミダゾール系製剤（約０．１％）、ひび割れ防止材として麻（約１．３％）。これらを水と混練して塗りつけるものである。
尚、前記麻は１ｃｍ程度に切ったものを使用する。
(57)【要約】      （修正有）【課題】小規模のダムには低層水を排出する仕組みはなく、大規模なダムでは低水放流設備が設けられていないものがあることから、簡易な構造でダム湖低層水を排出する装置を提供する。【解決手段】ダム堤体２に堤頂とダム湖３側側面につながる空洞を設け、該空洞に低層水排出管４を通し、堤頂に低層水排出管４の一端を低層水排出口５として、また他端を取水したい位置に低層水吸込口として配置することにより、ダム湖低層水排出装置とした。【選択図】図２
2011111882.tif 000002
【特許請求の範囲】
【請求項１】
ダム堤体に堤頂とダム湖側側面につながる空洞を設け、側面口にパイプを接続しパイプのもう一つの端を取水したい位置に設置するダム湖低層水排出装置。
【請求項２】
上記構造を別個に製作してダム堤頂に設置するダム湖低層水排出装置。
【請求項３】
低水放流管の取水口に、前後の径が放流管の径に等しく中央部が狭くて開口部がある管の外側にドーナツ状の空間ができるように囲った低層水取込器を取り付け、その低層水取込器にパイプの一端をつなぎもう一つの端を取水したい位置に設置するダム湖低層水排出装置。
【発明の詳細な説明】
【技術分野】
【０００１】  この発明は、ダム湖低層水排出装置に関する。
【背景技術】
【０００２】  従来、小規模なダムには低層水を排出する仕組みは組み込まれていない。大規模なダムでは、低水放流設備が設けられているものもある。
【発明の概要】
【発明が解決しようとする課題】
【０００３】  ダム湖の低層においては、水が循環せず長期間滞留し、水温が低下するとともに貧酸素状態となっている。低水放流設備が設けられている場合であっても、取水口より下の層の水は排出できないため、低水放流設備がないダムの状況と大差ない。このため、ダム湖全域の水質悪化の原因となっているとともに生態系にも悪影響を与えている。【０００４】  本発明は、簡易な構造でダム湖低層水を排出する装置を実現することを目的としている。
【課題を解決するための手段】
【０００５】  本発明（請求項１）のダム湖低層水排出装置は、ダム堤体に堤頂とダム湖側側面につながる空洞を設け、側面口にパイプを接続しパイプのもう一つの端を取水したい位置に設置する構成とした。【０００６】  本発明（請求項２）のダム湖低層水排出装置は、請求項１の構造を別個に製作して堤頂に設置する構成とした。【０００７】  本発明（請求項３）のダム湖低層水排出装置は、低水放流管の取水口に、前後の径が放流管の径に等しく中央部が狭くて開口部がある管の外側にドーナツ状の空間ができるように囲った低層水取込器を取り付け、その低層水取込器にパイプの一端をつなぎもう一つの端を取水したい位置に設置する構成とした。
【発明の効果】
【０００８】  本発明のダム湖低層水排出装置は、主放流水の流れのエネルギーによって低層水を汲み上げて排出するものであり、放流が行われている間は常に低層水が排出される。【０００９】  本発明のダム湖低層水排出装置は、低層水が主放流水に希釈されて排出されるため、放流水の温度低下はわずかである。【００１０】  本発明のダム湖低層水排出装置は、低層水吸入口を任意の位置に設置することができる。
【図面の簡単な説明】
【００１１】
【図１】  本発明（請求項１）のダム湖低層水排出装置の実施例を示す側面断面図である。
【図２】  図１の詳細図である。
【図３】  本発明（請求項２）のダム湖低層水排出装置の実施例を示す側面断面図である。
【図４】  本発明（請求項３）のダム湖低層水排出装置の実施例を示す側面断面図である。
【図５】  図４の低層水取込器の正面断面図である。
【発明を実施するための形態】
【００１２】  以下、本発明のダム湖低層水排出装置の実施の形態を実施例により説明する。
【実施例】
【００１３】  図１及び図２は、本発明（請求項１）のダム湖低層水排出装置の実施例を示す側面断面図である。【００１４】  ダム堤頂を流下する水流は、突起７のために上方に曲げられ突起７の下流側で水圧が低くなり低層水排出管から水が汲み上げられ放流水とともに流下していく。【００１５】  図３は、本発明（請求項２）のダム湖低層水排出装置の実施例を示す側面断面図である。【００１６】  ダム湖低層水排出の仕組みは、本発明（請求項１）のダム湖低層水排出装置と同じである。【００１７】  図４は、本発明（請求項３）のダム湖低層水排出装置の実施例を示す側面断面図である。【００１８】  図５は、図４の低層水取込器の正面断面図である。【００１９】  低層水取込器の管を流下する放流水は、管の中央の峡窄部で流速が増して水圧が低くなり、低層水取込口から水を吸い込んで流下していく。
【符号の説明】
【００２０】  １    地盤
２    ダム堤体
３    ダム湖
４    低層水排出管
５    低層水排出口
６    低層水吸入口
７    突起
８    後付け式低層水排出管
９    低水放流管
１０  低層水取込器
１１  低層水取込口
【図１】
2011111882.tif 000003
【図２】
2011111882.tif 000004
【図３】
2011111882.tif 000005
【図４】
2011111882.tif 000006
【図５】
2011111882.tif 000007
(57)【要約】      （修正有）【課題】咬合圧の分散無圧化を図る、長遊離端ブリッジの提供。【解決手段】歯冠修復物と築造体、支台歯の周りに隙を作り、該歯冠修復物と支台歯、築造体の間に弾性体（クッション剤）を配し、それらを接着剤にて接合した歯冠修復物。歯牙欠損部は欠損部内部の金属部と歯冠修復物内部の金属部と連結した長遊離端ブリッジ。該ブリッジは咬合圧の吸収分散を図りながら、有効に機能し咬合力の強化安定をし、小型化により審美性、発音嚥下、唾液の適正化、口腔内乾燥を防止する。【選択図】なし【特許請求の範囲】
【請求項１】
歯冠修復物と歯牙の形成面（生、失ＰＺ）に、一層の隙を作り、その中に弾性体を配し両者を接着剤にて接合することを特徴とする歯冠修復物である
【請求項２】
歯牙欠損部は欠損部内部の金属部と歯冠修復物内部の金属部と連結することを特徴とする請求項１記載のブリッジ（架橋歯）
【発明の詳細な説明】
【技術分野】
【０００１】  本発明は歯冠補綴物の分野に属する
【背景技術】
【０００２】  従来の技術では遊離端ブリッジはあるが１歯のみでそれより長いものはなく強度による維持を図るもので、本発明のように咬合圧の分散吸収によるものではない
【発明が解決しようとする課題】
【０００３】  長いブリッジ及び長い遊離端ブリッジを製造する
【０００４】  咬合圧の分散、吸収を図り支台歯の延命を行い欠損部３歯以上のブリッジを製造する
【課題を解決する為の手段】
【０００５】  歯冠修復物と築造体、支台歯の周りに隙を作る
【０００６】  歯冠修復物と支台歯、築造体の間に弾性体（クッション剤）を配し、セメント及び接着剤で接着する
【０００７】  本発明により咬合圧の吸収分散を図りながら長遊離端ブリッジとして有効に機能し咬合力の強化安定をし、小型化により審美性、発音嚥下、唾液の適正化、口腔内乾燥を防止
図面を見ながら説明
【発明を実施するための形態】
【０００８】  Ｄ部歯冠形成面とＣ−クッション剤内面をセメントにて合着
Ｂ−金属とＣ−クッション剤外面を接着剤で接着
【０００９】  請求項１は築造体歯冠形成上に隙を作り、その部とダミーを連結する
【図面の簡単な説明】
【図１】は発明の実施の形態の断面図
【符号の説明】  Ａ−歯冠    Ｂ−金属    Ｃ−クッション剤    Ｄ−歯冠形成歯及び築造体
【図１】
2011111450.tif 000002
(57)【要約】      （修正有）【課題】薬効成分組成技術でアレルギー症状を抑制させる有効成分組成を、お茶・他の飲料水・食品との融合性に優れ、且つ汎用活用の食飲料品添加物に配合し得る、液体物質、固体物質、顆粒物質、又は粉末物質として利用可能な配合組成加工製造法を提供する。【解決手段】原料となるものを浸透性のある袋に入れ、水中に２週間ほどの日数浸漬することで抗アレルギー有効成分を得る。アレルギー抑制薬効成分組成を含有する地域の天然植物資源を活用することで地域事業を育成し、地域の産業開発となる。【選択図】なし【特許請求の範囲】
【請求項１】
アレルギー抑制薬効成分組成抽出を液体物質、固体物質、顆粒物質、粉末物質等の加工抽出を得たことを特徴とする。
【請求項２】
アレルギー抑制薬効成分組成抽出を食飲料品の融合性に優れて得たことを特徴とする。
【請求項３】
請求項２に請求項１の単独で用いても良く、また２種以上の混合によって植物薬効成分組成を得ことを特徴とする。
【請求項４】
請求項３において同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、アレルギーの症状を抑制させる抗アレルギー成分を含む植物物質から得られる含有物質の成分組成を抽出する方法に関するものである。
【背景技術】
【０００２】従来から抗アレルギー剤が開発されている。【０００３】市販されている飲料水の烏龍茶に抗アレルギー剤が記載されている。【０００４】また、塗布剤がアレルギーの予防及び治療薬に記載されている。成分物質については，公知とされている。しかし、被抽出物質に対策がないままが実態である。成分物質を、液体物質、固体物質、顆粒物質、粉末物質等の汎用を視野に入れ、化合・混合の配合組成を積極的に追求でき得る技術が期待されている。
【発明の開示】
【発明が解決しようとする課題】
【０００５】しかしながら、前記従来、アレルギー体質改善が予防医学として万人への決めてはなく、アレルギー症状を繰り返している。植物の薬効組成、機能は類似していることから、液体物質は、液体のまま固形物質は固形のままに用いられ要しているが、本発明の、薬効成分抽出製造は、液体物質、固体物質、顆粒物質、粉末物質に飲用を容易にし、しかも、複合効果を図った加工抽出は、容易に確実、しかも添加、混合、攪拌が一体型でもって効果が得られる。【０００６】本発明は、このような実状に鑑みなされたものであり、成分物質は水溶性成分を含有していることから被抽出物質含有成分を他との配合組成でその提供を目的とする。
【課題を解決するための手段】
【０００７】課題を解決するため、被抽出物質を浸透性の装置に被抽出物を封入することで濾過、抽出効果の有効成分の液体物質，固体物質、顆粒物質、粉末物質薬効成分、組成を対象多物質質構造に汎用活用を図ったことによる、好ましい選択の合理的構成が得られ、この発明に到達した。
【発明の効果】
【０００８】以上のように、本発明技術は、有効成分を無駄なく発揮され、融合性に優れ、汎用され、産業への期待は大きい。【０００９】この発明は、原料となるものを浸透性のある袋状にいれ、それを水中に入れ成分が濾過され、アレルギー炎症物質抽出物として、効率が良く製造されることを特徴とする。【００１０】天然素材の有用なアレルギー抑制物質は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、アレルギー有効成分組成を濾過、抽出することを特徴とする。例えば、前述の被抽出物質を透水性の良い袋状に入れ、水中に２週間ほどの日数浸漬で成果を得た。固体物質、顆粒物質、粉末物質薬効成分組成加工を図ることの汎用性。つまり、選択により好ましい効果が得られる。【００１２】上記技術でもって、アレルギー抑制有効物質の含有する成分を効率よく抽出できる。成分を多く含む効果を得ることについて、本発明趣旨を逸脱しない範囲の変更は、本発明に含まれることを特徴とした。
【産業上の利用可能性】
【００１３】本発明の、アレルギー抑制成分組成の抽出する製造方法は、天然植物素材の加工技術によることを特徴としている。【００１４】上記、地域の天然資源を活用することで産業上の利用可能性を有する。
(57)【要約】【課題】アロマオイル含有石鹸は、アロマセラピー芳香性をもつ植物から抽出された芳香油を加工製造でもって芳香を揮発促進させる。他の対象としては、香料組成物や付香物質の匂いの特性を修正しうる香気有効量の添加化合・混合することを特徴とした。【解決手段】アロマオイル含有石鹸は、芳香油を揮発促進することによって成分組成効用の有効性アロマセラピー効果が発揮される。アロマセラピー芳香油の揮発促進は、好ましくは３５℃±５の加熱することにより、芳香油が蒸発し、好ましい芳香揮発を促進する。【選択図】なし【特許請求の範囲】
【請求項１】
アロマオイル含有石鹸は、芳香油の加熱によって揮発され、アロマセラピー促進効果を特徴とする。
【請求項２】
公知の既知物質の芳香油に３５℃±５の加熱による効果は、アロマオイルの揮発促進を芳香油の蒸発をすることで得たことを特徴とする。
【請求項３】
一種類のアロマオイル、複数のアロマオイルの化合・混合の芳香組成物の揮発促進を得ることを特徴とする。
【請求項４】
請求項３において請求項２と同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、香料、芳香性をもつ植物から生成組成されている芳香を揮発促進させ、有用な香気成分を芳香療法、肌にすり込む健康法、美容法に関するアロマオイル含有石鹸の化合物及び香料製造におけるその使用に関する。【０００２】上記のアロマオイル含有石鹸の芳香組成物は、癒し効果、自然治癒効果を高めるアイテムが類似し、好ましくは３５℃±５の加熱は芳香揮発促進効果が発揮させる。【０００３】本発明の芳香油発揮促進は、アロマセラピーにおける成分揮発促進によって、精神性理学に関するものである。
【背景技術】
【０００４】従来の香料、芳香は、依然として各種の個別対応がなされ、抽出物質の性状対策に汎用性は希薄で、対象物質の成分組成の抽出が十分な成果を上げ得ているとは言えない実態である。対象成分物質を発揮させることで、消臭、脱臭、抗菌、殺菌、臨床効果等の汎用性を可能とし、積極的に効果が追求でき得るアロマオイル含有石鹸を望んでいる。
【発明の開示】
【発明が解決しようとする課題】
【０００５】前記従来、芳香組成物、機能は類似し、感覚属性に関する香料と香りの分野において、臭覚感覚に一様性のない複雑分野のまま用いられている。本発明の、芳香組成成分揮発促進は、公知、既知物質感覚属性の促進効果の実用化を鑑みることを使用の頻繁な石鹸にしてなることを課題とした。【０００６】本発明は、このような実状に鑑みなされたものであり，芳香組成物質の成分揮発促進を石鹸の有用な匂い特性を有するアロマセラピーの提供を目的とする。
【課題を解決するための手段】
【０００７】課題を解決するため、本発明技術は、前記の芳香組成物を３５℃±５の加熱による効果で対象成分物質に揮発効果が得られ、請求項１から５の好ましい選択の合理的構成が得られ、この発明に到達した。
【発明の効果】
【０００８】以上のように、アロマオイル含有石鹸の香料製造は、アロマセラピー効果が発揮し、芳香組成物質成分を無駄なく融合し、汎用される。【０００９】芳香成分効用は、公知とされているものに、抗菌力、殺菌力、除菌力、院内感染を効果的に防止できるとされている。森林浴と同様の精神安定効果から癒し自然治癒力を高めるアイテムの複合の芳香揮発を促進することを特徴とするアロマオイル含有石鹸は、アロマセラピー効果がある。【００１０】芳香揮発促進は、それらの共通特性を有する化合、混合芳香油を成形としてなることを特徴とする。
【発明を実施するための最良の形態】
【００１１】本発明のアロマオイル含有石鹸の使用は、３５℃±５の加熱でもって、前述の芳香組成物、生成方法の成分組成を発揮し得ることを図ることの汎用性。つまり、発芳香油の蒸発によって好ましいアロマセラピー効果が得られる。【００１２】なお、本発明は上記技術の実施に限定されるものではなく、趣旨を逸脱しない種々範囲の変更は、本発明に含まれる。
【産業上の利用可能性】
【００１３】アロマオイル含有石鹸を用いて芳香成分揮発促進をすることで、アロマセラピー効果となり、芳香療法、肌にすり込む健康、美容法並んで精神性理学に関することから、癒しの効果、自然治癒等の臨床効果に係わる。【００１４】上記、アロマオイル含有石鹸製造対象成分物質を発揮促進することで、さらに、消臭、脱臭、抗菌、殺菌等の汎用性の効果が得られ、産業上の利用可能性を有する。
(57)【要約】【課題】クロモジ有効成分含有石鹸が皮膚から摂取されることで体内に取り込み、公知の薬効成分物質を医療分野に存在する組成物質を提供する。【解決手段】クロモジ有効成分を抽出し、石鹸にする為の含有添加剤成分の一種又は、二種以上の配合組成で、多重効果と有効性を特徴とする。【選択図】なし【特許請求の範囲】
【請求項１】
クスノキ科のクロモジ有効成分を石鹸成形し、含有薬効成分の製造方法。
【請求項２】
クロモジを石鹸成形し、医薬分野の製造方法。
【請求項３】
上記の石鹸成形は、石鹸素地と添加剤の９７重量％±１にクロモジの抽出成分が３重量％±１としたクロモジ含有石鹸の製造方法。
【請求項４】
上記記載の製造方法において、求項１から３を含み、本発明の趣旨を逸脱しない範囲の変更は本発明に含まれる。
【発明の詳細な説明】
【技術分野】
【０００１】本発明は、クスノキ科のクロモジ抽出成分を含有する石鹸に関する。
【背景技術】
【０００２】クロモジは本来，古くからお茶に供されてきた。【０００３】クロモジは、肥満，高中性脂肪、高血糖等の生活習慣病の予防、改善に効果があると公知され薬効は認められてはいるものの広く普及はされていない。【０００４】従来、クロモジに含有する物質は、上記の他にアロマセラピーに有用な物質であるにも係わらず十分に活用されていない。近い将来の普及を鑑みるとクロモジの効果は、食品分野、医療分野に安定供給、安価な製造プロセスのタイミングを可能とする。
【発明の開示】
【発明が解決しようとする課題】
【０００５】上記背景には、クロモジに含まれる薬能効果摂取を人体に摂取でき得る手段の提供を目的とする。
【課題を解決するための手段】
【０００６】そのため、クロモジの有効成分を溶媒抽出し、石鹸製造することで、直接皮膚から摂取することを可能とする。工程において、製造原価がビズネスチャンスに結び付く価格と、技術の進化によって、売れる価格設定が望まれる。【０００７】本発明の要旨とするところは、石鹸素地と添加剤に植物のクロモジの有効成分を石鹸に練り込むことから植物性油脂が好ましい。ただし、動物性油脂のものであっても使用はできる。【０００８】好ましくは、石鹸素地と添加剤が９７重量％±１にクロモジの抽出成分が３重量％±１からなるクロモジ含有石鹸を製造する。【０００９】上記の添加剤に含有するものとして、ヒノキ、ヒバ、スギの蒸留水等が挙げられる。
これ等の添加剤は、１６重量％から２５重量％の混合割合ができる。農業用、工業用石鹸等の場合、用途に応じた混合割合が好ましい。
【課題を解決するための手段】
【００１０】上記の問題を鑑みて、本発明は、クロモジ成分を含有する食品分野、医療分野に、に発揮される公知の物質を石鹸、シャンプー等の使用で、直接皮膚から体内に摂取することを特徴とした。【００１１】クロモジ成分が生活習慣病、改善に優れた多重効果、有効性をもっての報告は公知となっている。【００１２】従って、日常使用の石鹸を本発明によって安価な製造方法を提供とし、目的とする。【００１３】本発明は、上記課題を達成するため、生産性向上に寄与すべき製造方法の一体構成を特徴とする。【００１４】その課題は、石鹸の汎用性、用途拡の発揮の提供にある。
【発明の効果】
【００１５】本発明は、クロモジを石鹸にすることによって、クロモジに含有する成分、芳香アロマセラピー効果が健康増進を図る。【００１６】このように効果的に発揮されるクロモジ含有効果が、高血圧改善、動脈硬化予防、細胞の活性化、血液浄化等の効能があることは公知とされている。【００１７】本発明の特徴は、上記のクロモジ有効成分の抽出時間は、好ましくは常温２週間とする。【００１８】本発明は、素材の安心、安全性、作業効率の向上、安定量産の向上がはかられ新たな医療分野の用途、利用拡大が想定される。
【発明を実施するための最良の形態】
【００１９】本発明の実施形態の一体構成は、本実施形態に限定されるものではなく要旨の逸脱しない範囲の変更は本発明に含む。【００２０】上記実施形態については、クロモジ石鹸をシャンプーとしての使用方法も好ましい素材の範囲とされ、クロモジの固体石鹸、液体シャンプーを含み、さらに薬効効果を固体、液体、粉末に汎用できる事の想定を述べている。【００２１】上記石鹸は、長期保存が安定し、石鹸効果、薬理保存効果が発揮される。【００２２】本発明の形態構成に組成物を含み限定はなく、石鹸組成形態の制限することは意図しないことを特徴とする。
【産業上の利用可能性】
【００２３】本発明は、クロモジ有効成分を石鹸にすることの効果、成果の実現は、多くの分野に利用しやすい。医療分野については、クロモジ成分の生活習慣病の効果、血糖値上昇抑制効果等について公知とされている。例えば血糖値を下げる作用を持つインシュリン作用の薬効がクロモジ含有の石鹸加工された物質は、好ましい医薬品との組み合わせによる効果が得られ産業上の無駄がない。
(57)【要約】【課題】クロモジ含有香料が長期安定に食品分野・医療分野・香料分野に存在する新規化合物の組成物を提供する。【解決手段】クロモジ香料組成物の抽出成分を他の香料組成物の一種類又は、二種類以上の化合組成の含有することを特徴とする。【選択図】なし【特許請求の範囲】
【請求項１】
クスノキ科のクロモジを香料成形し、有用な匂いの特性を有した香料組成物の製造方法。
【請求項２】
クロモジを香料成形し、有用な匂いの特性を有した医薬分野・健康補助食品分野、食品・飲料分野の付香の有用。
【請求項３】
クロモジを香料成形し、有用な匂いの特性を有し、種々の消費物品の付香・身体空気脱臭剤洗剤及び住居用製品等の付香の有用。
【請求項４】
上記請求項による化合物、混合物に好ましくは、５〜１０重量％又は２０重量％以上の成形製造を特徴とする。
【請求項５】
上記記載の製造方法において、請求項１から４を含み、本発明の趣旨を逸脱しない範囲の変更は本発明に含まれる。
【発明の詳細な説明】
【技術分野】
【０００１】本発明は、クスノキ科のクロモジの香料組成物及び付香組成物の香料の特性改善、及び新規化合物の製造方法。クロモジ成分が人体の恒常性調節機能に関与している。血管収縮作用に関与している・健康機能性を備え・生活習慣病改善を得ていることは公知のことである。食品分野・医療分野等広範囲に活用可能とする基礎的素材を新規化合物の提供に関する。
【背景技術】
【０００２】クロモジは本来，古くからお茶に供されてきた。【０００３】クロモジは、肥満・高中性脂肪・高血糖等の生活習慣病の予防、改善に効果があると公知されている。【０００４】従来、クロモジに含有する物質は、上記の他にアロマセラピーに有用な物質であるにも係わらず十分に活用されて入ない。クロモジの効果を香料分野に供給するプロセスのタイミングであり香料組成物及び付香組成物の新規化合物を可能とする。
【発明の開示】
【発明が解決しようとする課題】
【０００５】上記背景には、クロモジに含まれる薬能効果摂取を液汁あるいは煮込み方法を取っていたが、飲みにくく，食べにくい。【０００６】そのため、クロモジに香り有効量を添加する新規化合物にすることで、均一製造を可能とし、工程において、果実用タイプに製造し香調を付加することで有用な香気成分を可能とする。【０００７】好ましくは、食品分野・医療分野・香料分野において、クロモジの天然素材を加工し、効率良く香料分野に転換することで、一体構造の問題解決となる。【０００８】好ましくは、他の香料素材との組み合わせを容易にし、上記の使用範囲拡大が想定される。
【課題を解決するための手段】
【０００９】上記の問題を鑑みて、本発明は、クロモジ成分を含有する食品分野・医療分野に、新規化合物の香料分野の組成物加工により効果的に発揮される。【００１０】クロモジ成分が生活習慣病、改善に優れた多重効果・有効性をもっての報告は公知となっている。【００１１】従って、香料製造工程において上記有効な製造方法を提供目的とする。【００１２】本発明は、上記課題を達成するため、生産性向上に寄与すべき製造方法の一体構成を特徴とする。【００１３】その課題は、クロモジ香料組成物及び新規化合物の製造により、汎用性、用途拡大の発揮提供にある。
【発明の効果】
【００１４】本発明は、クロモジを香料製造することによって、食品分野を有効に利用ができ、クロモジに含有する成分効果が健康増進を図る。好ましい食品素材に添加することにより食味の良い食品を増すことになる。【００１５】このように香料分野に効果的に発揮されるクロモジは、均一に新規化合、混合を可能としクロモジ含有効果が、高血圧改善・動脈硬化予防・細胞の活性化・血液浄化等の効能があることは公知とされている。【００１６】クロモジに化合下組成物に果実様タイプの香調を香料加工することの有用な香気成分は、食品分野・医療分野・香料分野の利用拡大を可能とする。【００１７】本発明は、素材の安心・安全性、作業効率の向上、安定量産の向上がはかられ新たな用途が想定される。
【発明を実施するための最良の形態】
【００１８】本発明の実施形態の一体構成は本実施形態に限定されるものではなく要旨の逸脱しない範囲の変更は本発明に含む。【００１９】上記実施形態については、クロモジの香料を添加混合する好ましい素材の範囲を述べており、クロモジの固体・液体を含み、さらに他の食品の固体・液体・粉末に汎用できる想定を述べる。【００２０】香料保存は長期保存が安定し、食品効果・薬理効果・香水・化粧品・シャンプー・洗剤又は住居用の付香製品に有効活用される。【００２１】本発明の形態構成に組成物を含み限定はなく組成形態を制限することは意図しないことを特徴とする。
【産業上の利用可能性】
【００２２】本発明は、クロモジを香料分野にすることで、多くの食品分野に利用しやすい。医療分野は、生活習慣病の効果・血糖値上昇抑制効果等公知とされている。クロモジを１００パーセント香料加工された物質を好ましい食品原料・医薬品原料・及び生活付香製品に化合・混合の組み合わせによって効果が得られ産業上に無駄がない。